(57)【要約】【課題】本発明は、一つの検知センサを用いてトレイにディスクがローディングされているか否かと、ローディングされたディスクのサイズ及びトレイのオープン及びクローズ動作を検知することができるディスク再生装置を提供する。【解決手段】本発明によるディスク再生装置は、ディスク再生装置ボディと、第１及び第２サイズのディスクがローディングされる第１及び第２装着溝を有し、前記ボディに設けられた再生部に対してスライディング動作で出入するトレイと、前記ボディに設けられ、前記トレイにディスクがローディングされたか否かと、ローディングされたディスクのサイズ及びトレイの出入を検知する一つの検知センサと、前記トレイの出入動作時、前記検知センサと対応するように前記トレイに互いに異なる長さで貫通形成された複数個のスリットと、を含むことを特徴とする。【選択図】図１
2010146694.tif 000002
【特許請求の範囲】
【請求項１】
ディスク再生装置ボディと、
第１及び第２サイズのディスクがローディングされる第１及び第２装着溝を有し、前記ボディに設けられた再生部に対してスライディング動作で出入するトレイと、
前記ボディに設けられ、前記トレイにディスクがローディングされたか否かと、ローディングされたディスクのサイズ及びトレイの出入を検知する一つの検知センサと、
前記トレイの出入動作時、前記検知センサと対応するように前記トレイに互いに異なる長さで貫通形成された複数個のスリットと、
を含むことを特徴とするディスク再生装置。
【請求項２】
前記複数個のスリットは、トレイのオープン方向の先端に互いに隣接して形成された第１及び第２スリットと、
前記第１装着溝に形成された第３スリットと、
前記第２装着溝に形成された第４スリットと、
トレイのクローズ方向の先端に互いに隣接して形成された第５及び第６スリットと、
を含むことを特徴とする請求項１に記載のディスク再生装置。
【請求項３】
前記第１スリットと第６スリット、前記第２スリットと第５スリットは、同一の長さで形成されることを特徴とする請求項２に記載のディスク再生装置。
【請求項４】
前記第１及び第６スリットの長さが最も短く、前記第３スリットの長さが相対的に長く形成されることを特徴とする請求項３に記載のディスク再生装置。
【請求項５】
前記第１乃至第６スリットの長さは、次の不等式を満たすことを特徴とする請求項４に記載のディスク再生装置。
第１スリット＝第６スリット＜第２スリット＝第５スリット＜第４スリット≦第３スリット
【請求項６】
前記第１乃至第６スリットの長さは、次の不等式を満たすことを特徴とする請求項４に記載のディスク再生装置。
第１スリット＝第６スリット＜第２スリット＝第５スリット、
第４スリット≦第３スリット
【請求項７】
前記検知センサが前記第２及び第５スリットを検知する場合、前記トレイの移動速度を減速するＰＷＭ制御信号を出力することを特徴とする請求項５又は請求項６に記載のディスク再生装置。
【請求項８】
複数枚のディスクがスタッキングされるディスク保存部を更に含むことを特徴とする請求項１に記載のディスク再生装置。
【請求項９】
前記ディスク保存部は、前記再生部の前方に形成されることを特徴とする請求項８に記載のディスク再生装置。
【請求項１０】
前記検知センサは、前記トレイの下側に設けられた発光部と、前記トレイの上側に設けられた受光部を含み、前記発光部と受光部はスタッキングされたディスクと干渉しないように配置されることを特徴とする請求項９に記載のディスク再生装置。
【請求項１１】
前記検知センサは、前記トレイの上側に設けられた発光部と、前記トレイの下側に設けられた受光部を含み、前記発光部と受光部はスタッキングされたディスクと干渉しないように配置されることを特徴とする請求項９に記載のディスク再生装置。
【請求項１２】
前記ディスク保存部は、前記再生部の後方に形成されることを特徴とする請求項８に記載のディスク再生装置。
【請求項１３】
前記検知センサは、前記トレイの下側に発光部と受光部が共に設置されることを特徴とする請求項１２に記載のディスク再生装置。
【請求項１４】
前記検知センサは、前記トレイの上側に設けられた発光部と、前記トレイの下側に設けられた受光部を含み、前記発光部と受光部はスタッキングされたディスクと干渉しないように配置されることを特徴とする請求項１２に記載のディスク再生装置。
【請求項１５】
前記検知センサは、前記トレイの下側に設けられた発光部と、前記トレイの上側に設けられた受光部を含み、前記発光部と受光部はスタッキングされたディスクと干渉しないように配置されることを特徴とする請求項１２に記載のディスク再生装置。
【請求項１６】
前記検知センサは、ディスク再生装置の前面部と隣接した位置に設置され、前記トレイのクルーズ位置において前記第１スリットと対向し、前記トレイのオープン位置において前記第６スリットと対向する位置に設置されることを特徴とする請求項１４または請求項１５に記載のディスク再生装置。
【請求項１７】
請求項１乃至請求項１６のうち何れか一項に記載されたディスク再生装置においてトレイをイジェクトするステップと、
ディスクを前記トレイの第１及び第２装着溝のうち対応するサイズの装着溝に装着するステップと、
ディスクの装着された前記トレイを前記再生部にローディングするステップと、
前記一つの検知センサが前記トレイの挿入動作に応じて、トレイに形成された互いに異なる長さのスリットを順次的に検知して、ディスクの有無、ディスクのサイズ及びトレイの位置を把握するステップと、
ローディングされたディスクを再生するステップと、
前記検知センサが前記第２及び第５スリットを検知する場合、前記トレイの移動速度を減速するＰＷＭ制御信号を出力するステップと、
を含むことを特徴とするディスク再生装置の駆動方法。
【発明の詳細な説明】
【技術分野】
【０００１】
一般に、ディスク再生装置は、ディスクを挿入する方法によってトレイ方式とスリット方式とに区分することができる。
【背景技術】
【０００２】
トレイ方式のディスク再生装置は、ディスクが装着されるトレイを用いてディスクを再生装置の再生部側に挿入する。ディスクが装着される装着溝は規格で定められているが、前記装着溝は、シングルＣＤのような小容量保存媒体は８０ｍｍ、ＣＤ、ＤＶＤ、ブルーレイの場合は１２０ｍｍディスクをそれぞれ装着することができる。
【０００３】
トレイ方式のディスク再生装置には、トレイのオープン及びクローズ状態を検知するためのセンサと、トレイの上にディスクが装着されているか否かを検知するセンサとが別途設けられるが、ディスク検知センサの場合、光センサを使用し、トレイのオープン及びクローズ状態の検知センサの場合、２接点スイッチを使用する。
【０００４】
このような構成を有するトレイ方式のディスク再生装置は、トレイの出入を高速で設定する場合、２接点スイッチが誤作動して正しくディスクのオープン及びクローズ動作を検知することができないことがある。
【０００５】
また、トレイ上にディスクがローディングされているか否かを検知することはできるが、ローディングされているディスクのサイズが１２０ｍｍであるか、８０ｍｍであるかを確認することができない。
【０００６】
また、トレイのオープン及びクローズ状態を検知するためのセンサと、ディスクがローディングされているか否かを検知するセンサを個別に設置しなければならないので、材料費及び作業工数が増加するという問題がある。
【先行技術文献】
【特許文献】
【０００７】
【特許文献１】韓国特許出願公開第２００４−００５７６１６号公報
【特許文献２】特開２００１−０５２４０７号公報
【特許文献３】特開平６−３０９７６６号公報
【発明の概要】
【発明が解決しようとする課題】
【０００８】
本発明は、上記問題に鑑みてなされたものであり、本発明の目的とするところは、一つの検知センサを用いてトレイにディスクがローディングされているか否かと、ローディングされたディスクのサイズ及びトレイのオープン及びクローズ動作を検知することができるディスク再生装置を提供することにある。
【課題を解決するための手段】
【０００９】
上記のような目的を達成するための本発明によるディスク再生装置は、ディスク再生装置ボディと、第１及び第２サイズのディスクがローディングされる第１及び第２装着溝を有し、前記ボディに設けられた再生部に対してスライディング動作で出入するトレイと、前記ボディに設けられ、前記トレイにディスクがローディングされたか否かと、ローディングされたディスクのサイズ及びトレイの出入を検知する一つの検知センサと、前記トレイの出入動作時、前記検知センサと対応するように前記トレイに互いに異なる長さで貫通形成された複数個のスリットと、を含むことを特徴とする。
【００１０】
本発明の好ましい実施形態によると、前記複数個のスリットは、トレイのオープン方向の先端に互いに隣接して形成された第１及び第２スリットと、第１装着溝に形成された第３スリットと、第２装着溝に形成された第４スリットと、トレイのクローズ方向の先端に互いに隣接して形成された第５及び第６スリットと、を含む。
【００１１】
前記第１スリットと第６スリット、前記第２スリットと第５スリットは、同一の長さで形成される。
【００１２】
前記第１及び第６スリットの長さが最も短く、前記第３スリットの長さが最も長く形成されることがよく、好ましくは、前記第１乃至第６スリットの長さは次の不等式を満たす。
【００１３】
第１スリット＝第６スリット＜第２スリット＝第５スリット＜第４スリット≦第３スリット、
【００１４】
または、第１スリット＝第６スリット＜第２スリット＝第５スリット、第４スリット≦第３スリット。
【００１５】
また、前記検知センサが前記第２及び第５スリットを検知する場合、前記トレイの移動速度を減速するＰＷＭ制御信号を出力することが好ましい。
【００１６】
発明の他の実施形態によると、複数枚のディスクがスタッキングされるディスク保存部を更に含むことができる。
【００１７】
前記ディスク保存部は、前記再生部の前方に形成されてもよく、前記再生部の後方に形成されてもよい。
【００１８】
前記ディスク保存部が前記再生部の前方に形成されると、前記検知センサは、トレイの下側に設けられた発光部と、前記トレイの上側に設けられた受光部を含み、その反対の構成も可能である。前記発光部と受光部はスタッキングされたディスクと干渉しないように配置される。
【００１９】
前記ディスク保存部が前記再生部の後方に形成されると、前記検知センサは、前記トレイの下側に発光部と受光部が共に設置される。
【００２０】
また、前記検知センサは、ディスク再生装置の前面部と隣接した位置に設置され、前記トレイのクルーズ位置において前記第１スリットと対向し、前記トレイのオープン位置において前記第６スリットと対向する位置に設置されることが好ましい。
【００２１】
本発明によるディスク再生装置のトレイ検知方法は、上記のように構成されたディスク再生装置においてトレイをイジェクトするステップと、ディスクを前記トレイの第１及び第２装着溝のうち対応するサイズの装着溝に装着するステップと、ディスクの装着された前記トレイを前記再生部にローディングするステップと、前記一つの検知センサが前記トレイの挿入動作に応じて、トレイに形成された互いに異なる長さのスリットを順次的に検知して、ディスクの有無、ディスクのサイズ及びトレイの位置を把握するステップと、ローディングされたディスクを再生するステップと、を含むことを特徴とする。
【００２２】
このとき、前記検知センサが前記第２及び第５スリットを検知する場合、前記トレイの移動速度を減速するＰＷＭ制御信号を出力するステップを更に含むことが好ましい。
【図面の簡単な説明】
【００２３】
【図１】本発明の一実施形態にかかるディスク再生装置を示す平面図である。
【図２】ノーディスク（ｎｏ  ｄｉｓｋ）の際におけるそれぞれのトレイの出入段階での検知センサの出力値を示す図である。
【図３】１２０ｍｍのディスクがローディングされた際におけるそれぞれのトレイの出入段階での検知センサの出力値を示す図である。
【図４】８０ｍｍのディスクがローディングされた際におけるそれぞれのトレイの出入段階での検知センサの出力値を示す図である。
【図５】ノーディスク、８０ｍｍディスク、１２０ｍｍディスクがローディングされた際におけるそれぞれのトレイの出入段階での検知センサの出力値を示す図である。
【図６】本発明の他の実施形態にかかるディスク再生部の後方にディスク保存部を有するディスク再生装置を示す図である。
【図７】本発明の他の実施形態にかかるディスク再生部の後方にディスク保存部を有するディスク再生装置を示す図である。
【図８】本発明の他の実施形態にかかるディスク再生部の前方にディスク保存部を有するディスク再生装置を示す図である。
【図９】本発明の他の実施形態にかかるディスク再生部の前方にディスク保存部を有するディスク再生装置を示す図である。
【発明を実施するための形態】
【００２４】
以下に添付図面を参照しながら、本発明の好適な実施の形態について詳細に説明する。なお、本明細書及び図面において、実質的に同一の機能構成を有する構成要素については、同一の符号を付することにより重複説明を省略する。
【００２５】
図１は、本発明にかかるディスク再生装置を示す図である。
【００２６】
同図に示すように、本発明にかかるディスク再生装置は、ディスク再生装置ボディ１０、トレイ１００、検知センサ２００及び複数個のスリット３００を含む。
【００２７】
ディスク再生装置ボディ１０には、ＣＤ、ＤＶＤのようなディスク媒体を再生することができる再生部１１が設けられる。
【００２８】
トレイ１００は、前記ボディ１０の再生部１１とボディの外部との間をスライディング往復可能なように設けられ、第１及び第２サイズのディスクがローディングされる第１及び第２装着溝１０１、１０２を有する。ＣＤ、ＤＶＤ及びブルーレイディスクのサイズは規格で定められ、前記第１サイズは８０ｍｍ、第２サイズは１２０ｍｍの直径を有するように形成される。
【００２９】
検知センサ２００は、前記ボディ１０に設けられ、前記トレイ１００の出入動作と、前記第１及び第２装着溝１０１、１０２にディスクがローディングされているか否か、及びローディングされたディスクのサイズを検知する。前記検知センサ２００は、発光部と受光部を有する光センサで設けることが好ましく、前記発光部と受光部の配置は、再生装置の種類に応じて異なるように設けられる。その構成については後で詳細に説明する。
【００３０】
スリット３００は、前記トレイ１００に互いに異なる長さを有するように貫通形成され、前記トレイ１００の出入動作時、前記検知センサ２００と対向する位置に配置される。スリット３００は、図１に示すように、第１乃至第６スリット３１０、３２０、３３０、３４０、３５０、３６０を含む。
【００３１】
第１及び第２スリット３１０、３２０と第５及び第６スリット３５０、３６０は、トレイ１００の中心を基準に互いに対称となるように配置される。また、第１及び第６スリット３１０、３６０の長さと、第２及び第５スリット３２０、３５０の長さは同一に形成される。
【００３２】
第１スリット３１０は、トレイ１００のクローズ検知をするためのものであり、トレイ１００が完全にクローズされる位置において、前記検知センサ２００と対向するように配置される。好ましくは、図示のように、トレイ１００が外部に突出する方向の先端と近接した位置に配置されることがよい。
【００３３】
第２スリット３２０は、前記第１スリット３１０と隣接した位置に形成される。前記第２スリット３２０は、前記検知センサ２００が前記第１スリット３１０を検知する前に、所定の制御部が制御準備をできるタイミングを提供し、トレイ１００の出入動作の信頼性を向上させる。前記第２スリット３２０を検知センサ２００が検知すると、制御部は駆動モータにＰＷＭ制御信号を出力して減速するようにする。その動作については後で詳細に説明する。
【００３４】
第３スリット３３０は、第１サイズ（８０ｍｍ）のディスクが装着される第１装着溝１０１に貫通形成され、第１及び第２スリット３１０、３２０、第４乃至第６スリット３４０〜３６０に比べて長い長さを有することが好ましい。
【００３５】
第４スリット３４０は、第２サイズ（１２０ｍｍ）のディスクが装着される第２装着溝１０２に、前記第３スリット３３０より短い長さを有するように貫通形成される。
【００３６】
第５スリット３５０は、前記第２スリット３２０とトレイ１００の中央を中心に対称となる位置に形成され、第２スリット３２０と同一の長さで貫通形成される。
【００３７】
第６スリット３６０は、前記第１スリット３１０とトレイ１００の中央を中心に対称となる位置に形成され、第１スリット３１０と同一の長さで貫通形成される。
【００３８】
第５及び第６スリット３５０、３６０は、第１及び第２スリット３１０、３２０のように、互いに隣接した位置に配置される。
【００３９】
本発明の好ましい実施形態によると、前記第１乃至第６スリット３１０〜３６０の長さは、次のような不等式を満たすように構成することができる。
第１スリット＝第６スリット＜第２スリット＝第５スリット＜第４スリット≦第３スリット
【００４０】
上記した不等式の以外にも様々な組合せが可能であるが、第１及び第６スリット３１０、３６０の長さと第２及び第５スリット３２０、３５０の長さが互いに同一に形成されることが好ましく、第１乃至第４スリット３１０〜３４０の長さは互いに異なる長さを有するように形成して各スリットを区分する必要がある。しかし、トレイ１００のサイズは、限定されており、それぞれのスリットの設置位置を考慮すると、上記不等式の条件を満たすことが最も好ましい。すなわち、第３スリット３３０は、第４スリット３４０より長く、若しくは同じく形成されるが、第４スリット３４０は、１２０ｍｍサイズのディスクを認識するための補助スリットであるので、ディスクの有無検知の主な役割をする第３スリット３３０の認識率を高めるためには、前記第３スリット３３０が、第４スリット３４０より大きく形成されることが好ましい。
【００４１】
以下、本発明の好ましい実施形態にかかるディスク再生装置の動作を図２乃至図５を参照して説明する。
【００４２】
図２は、ノーディスク（ｎｏ  ｄｉｓｋ）状態においてトレイを出入させた場合に検知センサ２００で出力されるシグナルを示す図である。
【００４３】
同図に示すように、第１乃至第６スリット３１０〜３６０は、トレイの出入動作時、検知センサ２００と対向する位置に形成されるため、トレイ１００の位置に応じて検知センサ２００において前記第１乃至第６スリット３１０〜３６０を検知して、センサ測定値が出力される。
【００４４】
すなわち、トレイ１００が完全にクローズされている状態において、検知センサ２００は第１スリット３１０と対向してＴ１のセンサ測定値を出力する。そして、トレイ１００が移動を始めると、検知センサ２００は前記トレイ１００の第２スリット３２０と対向してＴ２のセンサ測定値を出力する。その後、トレイ１００の移動に従って第３乃至第６スリット３３０〜３６０毎に互いに異なるセンサ測定値が出力されるが、第１スリット３１０と第６スリット３６０、そして第２スリット３２０と第５スリット３５０は互いに対称となるように配置されるため、互いに同一のセンサ測定値を有する。
【００４５】
このとき、センサ測定値の出力時間は各スリットの長さによって決定されるので、前記センサ測定値の出力時間と各スリット間の距離などを用いてトレイ１００の移動距離及び位置を把握することができる。
【００４６】
たとえば、図２に示すように、トレイ１００の開放動作が始まると、制御部は、前記検知センサ２００が第１乃至第４スリット３１０〜３４０を検知する場合には、前記トレイ１００が開放動作中であると認識する。その後、前記検知センサ２００が第５スリット３５０を検知すると、前記トレイ１００に動力を伝達する駆動モータの減速を開始し、前記検知センサ２００が第６スリット３６０を検知すると前記駆動モータを停止する。すると、トレイ１００はボディ１０の外部で完全にオープンされた状態で止まるようになる。
【００４７】
逆に、トレイ１００の挿入動作が進行されると、前記順序の逆順で前記検知センサ２００はスリットを検知するセンサ測定値を出力するが、このとき、制御部は、検知センサ２００が前記第６乃至第３センサ３６０〜３３０を検知する場合には、前記トレイ１００が閉鎖動作中であると認識する。その後、前記検知センサ２００が前記第２スリット３２０を検知すると、前記駆動モータの減速を開始し、第１スリット３１０を検知すると前記駆動モータを停止する。すると、トレイ１００はボディ１０の内部に設けられた装着位置で止まるようになる。
【００４８】
一方、第３及び第４スリット３３０、３４０は、それぞれ第１サイズ（８０ｍｍ）の第１装着溝１０１及び第２サイズ１２０ｍｍの第２装着溝１０２にそれぞれ形成され、トレイ１００にローディングされたディスクのサイズを前記検知センサ２００が検知できるようにする。
【００４９】
すなわち、１２０ｍｍの第２サイズのディスクがローディングされると、図３に示すように、第３スリット３３０と第４スリット３４０の両方においても前記検知センサ２００のセンサ測定値が出力されない。また、８０ｍｍの第１サイズのディスクがローディングされると、図４に示すように、第３スリット３３０のみディスクによって塞がるため、前記検知センサ２００のセンサ出力値が出力されず、第４スリット３４０では前記検知センサ２００のセンサ測定値が出力される。
【００５０】
図５は、前記したディスクサイズ別の検知センサ２００の信号出力を比較するための前記検知センサ２００のセンサ測定値を示す図である。
【００５１】
図示のように、ディスクがローディングされなかった場合には、第１乃至第６スリット３１０〜３６０のすべてにおいて検知センサ２００がセンサ出力値を出力するが、第１サイズ（８０ｍｍ）のディスクがローディングされると、第３スリット３３０でのセンサ出力値が出力されず、第２サイズ（１２０ｍｍ）の場合には、第３及び第４スリット３３０、３４０でのセンサ出力値が出力されない。
【００５２】
従って、制御部は、第３及び第４スリット３３０、３４０での検知センサのセンサ出力値を介して、トレイ１００にローディングされたディスクが、８０ｍｍであるか１２０ｍｍであるかを検知することが可能である。
【００５３】
一方、前記した構成を有するディスク再生装置は、多数枚のディスクをスタッキングしたマルチディスク再生装置にも適用することができる。
【００５４】
図６及び図７は、その一例として、ディスク再生部１１の後方にディスク保存部１３が設けられていることを示す図である。
【００５５】
この場合、前述した構成と動作の差はなく、搭載されたディスクをディスク保存部１３にスタッキングする場合、クロージングモードにおいて検知センサ２００が第１スリット３１０を検知したとき、ディスクがある場合には再生部にトレイを停止させて挿入したディスクを再生し、ディスクがない場合には駆動モータを停止せず、ディスク保存部１３に到着するまで継続して進行させるという点で差があるだけである。
【００５６】
一方、他の実施形態として図８及び図９に示すように、ディスク再生部１１の前面にディスク保存部１３が設けられてもよい。
【００５７】
この場合には、多数枚のディスクが再生装置の前面側に常にスタッキングされるため、検知センサ２００とスタッキングされたディスクとの干渉を避けるために、図８に示すように、スタッキングされたディスクと干渉しない位置として、トレイ１００の下側に発光部２１０を設置し、トレイ１００の上側に受光部２２０を設けることがよい。発光部２１０と受光部２２０の配置は上下の位置を変えて配置することも可能である。それ以外の動作は前述したものと同一であるので、重複説明は省略する。
【００５８】
以上のような本発明によると、一つの検知センサ２００を用いて、トレイ１００の出入動作と、位置、ローディングされたディスクのサイズまで検知することができるので、部品数を削減することができ、信頼性の高いトレイ動作を制御することが可能である。
【００５９】
特に、オープン動作とクロージング動作時、第２及び第５スリット３２０、３５０で駆動モータの減速のための検知信号を出力し、この信号を検知した後に第１及び第６スリット３１０、３６０で駆動モータ停止命令を行うため、トレイ１００を高速で出入させる場合であっても正確にトレイ１００の出入動作を制御することが可能である。
【００６０】
以上、添付図面を参照しながら本発明の好適な実施形態について詳細に説明したが、本発明はかかる例に限定されない。本発明の属する技術の分野における通常の知識を有する者であれば、特許請求の範囲に記載された技術的思想の範疇内において、各種の変更例または修正例に想到し得ることは明らかであり、これらについても、当然に本発明の技術的範囲に属するものと了解される。
【符号の説明】
【００６１】
１０  ディスク再生装置ボディ
１００  トレイ
１０１  第１装着溝
１０２  第２装着溝
２００  検知センサ
２１０  発光部
２２０  受光部
３１０〜３６０  第１乃至第６スリット
【図１】
2010146694.tif 000003
【図２】
2010146694.tif 000004
【図３】
2010146694.tif 000005
【図４】
2010146694.tif 000006
【図５】
2010146694.tif 000007
【図６】
2010146694.tif 000008
【図７】
2010146694.tif 000009
【図８】
2010146694.tif 000010
【図９】
2010146694.tif 000011